【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
照射電気手術器具であって、前記器具は、
ハンドルと、
前記ハンドルに結合された光導波路と、
前記光導波路に結合された電気手術先端と、
を備え、
前記光導波路は、前記ハンドルに調節可能に結合され、
前記光導波路の調節は、前記ハンドルの近位端により近くに、または、前記ハンドルの近位端からさらに離して、前記光導波路の遠位端を移動させる、器具。
【請求項２】
前記光導波路は、前記電気手術先端に対して独立して移動可能である、請求項１に記載の器具。
【請求項３】
前記電気手術先端は、前記光導波路と取り外し可能に結合される、請求項１に記載の器具。
【請求項４】
前記電気手術先端は、前記光導波路と一体である、請求項１に記載の器具。
【請求項５】
前記導波路または前記電気手術先端の軸方向移動または回転のうちの少なくとも１つを妨げるように前記導波路または前記電気手術先端のうちの一方の周囲で円周方向に圧着された係止機構をさらに備える、請求項１〜４のいずれかに記載の器具。
【請求項６】
前記係止機構は、コレット、ツイストロック、４分の１旋回ロック、または、突出・陥凹係止ペアを備える、請求項５に記載の器具。
【請求項７】
前記光導波路は、前記近位端において先細である、請求項１に記載の器具。
【請求項８】
前記光導波路は、レンズ、中空反射体、勾配レンズ、レンズレット、複数のレンズレット、多角形外面を形成する複数の平坦な平面、フィルタ、もしくは、コーティングのうちの１つまたは複数をさらに備える、請求項１に記載の器具。
【請求項９】
前記光導波路は、前記光導波路を通って前記光導波路の近位端まで軸方向に延在する１つまたは複数の煙排出チャネルを備える、請求項１に記載の器具。
【請求項１０】
前記光導波路に結合された照明要素をさらに備える、請求項１に記載の器具。
【請求項１１】
前記照明要素は、発光ダイオード（ＬＥＤ）、複数のＬＥＤ、放物型ＬＥＤ、キセノンランプ、またはそれらの任意の組み合わせを備える、請求項１０に記載の器具。
【請求項１２】
前記照明要素は、前記ハンドルの中に、または、前記光導波路の一部に隣接して配置される、請求項１０に記載の器具。
【請求項１３】
前記照明要素は、前記光導波路の外部にある、請求項１０に記載の器具。
【請求項１４】
前記光導波路の中に、前記光導波路に沿って、または、前記光導波路の周囲に配置された伝導要素をさらに備える、請求項１に記載の器具。
【請求項１５】
伝導要素をさらに備え、前記伝導要素は、ワイヤ、前記電気手術先端の近位部分、ロッド、または、管を備える、請求項１に記載の器具。
【請求項１６】
伝導要素をさらに備え、前記伝導要素は、前記照明要素の中に、または、前記照明要素を通して配置される、請求項１０に記載の器具。
【請求項１７】
前記光導波路は、中実ロッドを備え、
前記光導波路は、前記伝導要素および前記電気手術先端のうちの少なくとも１つが配置された中心管腔をさらに備える、請求項１４に記載の器具。
【請求項１８】
１つまたは複数のセンサをさらに備え、前記１つまたは複数のセンサは、画像センサ、熱センサ、インダクタンスセンサ、もしくは、分光センサを備える、請求項１に記載の器具。
【請求項１９】
絶縁をさらに備え、前記絶縁は、前記光導波路の外面、前記導波路の中心チャネル、伝導要素の外面、前記電気手術先端、照明要素、もしくは、前記電気手術先端の１つまたは複数の部分のうちの１つまたは複数に結合され、
前記絶縁は、コーティング、クラッディング、ヒートシンク管、フッ素化エチレンプロピレン、ガラス、ポリテトラフッ素化エチレン、アルミニウム管、空隙、もしくは、複数の空隙うちの１つまたは複数を備える、請求項１に記載の器具。
【請求項２０】
前記ハンドルは、追加空気循環のための通気特徴を備える、請求項１に記載の器具。
【手続補正２】
【補正対象書類名】明細書
【補正対象項目名】００１３
【補正方法】変更
【補正の内容】
【００１３】
これらおよび他の実施形態は、添付の図面に関する以下の説明にさらに詳細に説明される。
本発明は、例えば、以下を提供する。
（項目１）
照射電気手術器具であって、
ハンドルと、
前記ハンドルに結合された光導波路と、
前記光導波路に結合された電気手術先端と、
を備える、器具。
（項目２）
前記光導波路は、前記ハンドルに調節可能に結合され、前記光導波路の調節は、前記ハンドルの近位端により近く、またはそこからさらに離して、前記光導波路の遠位端を移動させる、項目１に記載のデバイス。
（項目３）
前記光導波路は、前記電気手術先端に調節可能に結合され、前記光導波路は、前記エネルギー先端に対して独立して移動可能である、項目１に記載のデバイス。
（項目４）
前記電気手術先端は、前記光導波路と取り外し可能に結合される、項目１に記載のデバイス。
（項目５）
前記電気手術先端は、前記光導波路と一体である、項目１に記載のデバイス。
（項目６）
係止機構をさらに備える、前記項目のいずれかに記載のデバイス。
（項目７）
前記係止機構は、コレット、ツイストロック、４分の１旋回ロック、または突出・陥凹係止ペアを備える、項目６に記載のデバイス。
（項目８）
前記電気手術先端は、平坦状、曲面状、先細状、またはそれらの組み合わせである、項目１に記載のデバイス。
（項目９）
前記電気手術先端は、好ましくは、平坦な平面ブレードである、項目１に記載のデバイス。
（項目１０）
前記電気手術先端は、電極を備える、項目１に記載のデバイス。
（項目１１）
前記光導波路は、アクリル、ポリカーボネート、シクロオレフィンポリマー、シクロオレフィン共重合体、もしくは可鍛性シリコーンのうちの１つまたはそれを上回るものを含む、項目１に記載のデバイス。
（項目１２）
前記光導波路は、円筒形、正方形、長方形、楕円形、卵形、三角形、または多角形である、項目１に記載のデバイス。
（項目１３）
前記光導波路は、前記近位端において先細である、項目１に記載のデバイス。
（項目１４）
前記光導波路は、平坦状、曲面状、傾斜状、先細状、またはそれらの組み合わせである抽出表面を備える、項目１に記載のデバイス。
（項目１５）
前記光導波路は、好ましくは、多角形外面を形成する、複数の平坦な平面である、項目１に記載のデバイス。
（項目１６）
前記光導波路は、接着結合、超音波溶接、成形、射出成形、熱収縮、またはスナップ嵌合によって形成される、項目１に記載のデバイス。
（項目１７）
前記光導波路はさらに、レンズ、中空反射体、勾配レンズ、レンズレット、複数のレンズレット、フィルタ、もしくは所望の光学性質のためのコーティングのうちの１つまたはそれを上回るものを備える、項目１に記載のデバイス。
（項目１８）
前記光導波路は、前記光導波路を通ってその前記近位端まで軸方向に延在する、１つまたはそれを上回る煙排出チャネルを備える、項目１に記載のデバイス。
（項目１９）
前記光導波路に結合された照明要素をさらに備える、項目１に記載のデバイス。
（項目２０）
前記照明要素は、ＬＥＤ、複数のＬＥＤ、キセノンランプ、またはそれらの任意の組み合わせを備える、項目１９に記載のデバイス。
（項目２１）
前記ＬＥＤまたは複数のＬＥＤは、放物型ＬＥＤを備える、項目１９に記載のデバイス。
（項目２２）
前記ＬＥＤまたは複数のＬＥＤは、白色ＬＥＤ、赤色ＬＥＤ、緑色ＬＥＤ、もしくは青色ＬＥＤのうちの１つまたはそれを上回るものを備える、項目１９に記載のデバイス。
（項目２３）
前記照明要素は、回路基板を備える、項目１９に記載のデバイス。
（項目２４）
前記照明要素は、前記ハンドルの中に、または導波路の一部に隣接して配置される、項目１９に記載のデバイス。
（項目２５）
前記照明要素は、前記デバイスの外部にある、項目１９に記載のデバイス。
（項目２６）
伝導要素をさらに備える、項目１に記載のデバイス。
（項目２７）
前記伝導要素は、前記光導波路の中に、それに沿って、またはその周囲に配置される、項目２６に記載のデバイス。
（項目２８）
前記伝導要素は、ワイヤ、前記電気手術先端の近位部分、ロッド、または管を備える、項目２６に記載のデバイス。
（項目２９）
前記伝導要素は、前記照明要素の中に、またはそれを通して配置される、項目２６に記載のデバイス。
（項目３０）
前記光導波路は、それを通って延在する中心チャネルを備える、項目１に記載のデバイス。
（項目３１）
前記中心チャネルは、煙を排出するために使用される、項目３０に記載のデバイス。
（項目３２）
前記光導波路は、中実ロッドを備える、項目１に記載のデバイス。
（項目３３）
前記光導波路はさらに、前記伝導要素および電気手術先端の一方または両方が配置される、中心管腔を備える、項目３２に記載のデバイス。
（項目３４）
１つまたはそれを上回るセンサをさらに備え、前記１つまたはそれを上回るセンサは、画像センサ、熱センサ、インダクタンスセンサ、もしくは分光センサを備える、項目１に記載のデバイス。
（項目３５）
絶縁をさらに備え、前記絶縁は、前記光導波路の外面、前記光導波路の前記中心チャネル、前記伝導要素の外面、前記電気手術先端、前記照明要素、もしくは前記電気手術先端の１つまたはそれを上回る部分のうちの１つまたはそれを上回るものに結合される、項目１に記載のデバイス。
（項目３６）
前記絶縁は、コーティング、クラッディング、ヒートシンク管、フッ素化エチレンプロピレン、ガラス、ポリテトラフッ素化エチレン、アルミニウム管、空隙、もしくは複数の空隙うちの１つまたはそれを上回るものであってもよい、項目２７に記載のデバイス。
（項目３７）
前記ハンドルは、追加空気循環のための通気特徴を備える、項目１に記載のデバイス。
（項目３８）
手術標的を照射するための方法であって、
電気手術先端に結合された光導波路を提供するステップと、
前記光導波路からの光で前記手術標的を照射するステップと、
前記手術標的に向かって、またはそこから離して前記光導波路を移動させ、それによって、前記手術標的上の前記照明を調節するステップと、
を含む、方法。
（項目３９）
前記電気手術先端を異なるエネルギー先端と交換するステップをさらに含む、項目３８に記載の方法。
（項目４０）
電気手術先端交換の照明調節後に、前記導波路および電気手術先端のうちの１つまたはそれを上回るものを係止するステップをさらに含む、項目３８に記載の方法。
（項目４１）
前記外科手術野から煙を排出するステップをさらに含む、項目３８に記載の方法。
（項目４２）
前記光導波路を移動させるステップは、前記エネルギー先端から独立して前記光導波路を移動させるステップを含む、項目３８に記載の方法。
（項目４３）
光学センサ、熱センサ、もしくは分光センサのうちの１つまたはそれを上回るものを用いて感知するステップをさらに含む、項目３８に記載の方法。
（項目４４）
手術標的を照射するためのシステムであって、
照明要素と、
前記照明要素によって発せられる光を透過させるための光導波路と、
前記光導波路に隣接する電極先端と、
前記光導波路から生成される熱を放散するための前記光導波路と熱的に結合されたヒートシンクと、
を備える、システム。